(57)【要約】【課題】  従来の破砕機は大型機で大量破砕処理を目的とした業務用破砕機が主力で、設備が大掛かりで破砕機の価格も高く、自家処理機としては問題があったので少量の破砕物処理を目的した、自家用で都市型利用のできる、小型軽量で安価な破砕機を提供するものである。【解決手段】  四角形状の本体フレ−ム上部に破砕物投入口を設け、その下に破砕室を固定して、油圧シリンダ−駆動による半回転圧縮破砕軸に大割圧縮刃と小割圧縮刃を固設して、破砕室中心部に構成させ、破砕圧縮幅の調整を可能とした破砕機により、破砕処理量は小量であるが、破砕力は大型機同様で破砕処理が可能であり、その上半回転圧縮破砕方式により鉄筋等の異物が入っても目詰まりしない構造となっており、特に破砕時に於ける騒音、振動、粉塵の発生が少ない都市利用型の小型軽量破砕機として、安価に提供出来るものである。【選択図】      図１
0003105389.tif 000002
【実用新案登録請求の範囲】
【請求項１】
４角形状の本体フレ−ムの上部に破砕物の投入口を設けその本体フレ−ムの中部に破砕室を形成させ、破砕室下部に排出口を設けた破砕機において、破砕室に油圧で半回転作動する破砕軸に大割圧縮刃と小割圧縮刃を固設して、破砕室の固定刃との間に破砕物を取り込み圧縮破砕しながら排出することを、特徴とした破砕機。
【請求項２】
大割圧縮刃の上部背面に破砕物流入防止カバ−を固設したことを特徴とした請求項１記載の破砕機。
【請求項３】
油圧で半回転する破砕軸を、破砕室左右の破砕軸支持金具に破砕軸移動調整ボルトを設けて、破砕物の大きさを自由に調整可能としたことを特徴とした、請求項１と請求項２の破砕機。
【考案の詳細な説明】
【考案の詳細な説明】
【技術分野】
【０００１】  本考案は破砕機に関するものである。
【背景技術】
【０００２】  建設関係に利用される、骨材生産や、建設廃材の破砕処理には、ジョ−クラッシャ−、インパクトクラッシャ−、コ−ンクラッシャ−ロ−ルクラッシャ−、等の破砕技術が利用されている。
【考案が解決しょうとする課題】
【０００３】  がれき類の破砕機は、その破砕物が多様であるため、破砕方式も多種である。いずれも圧縮回転破砕か、剪断回転破砕が主力となっている。
特に大量破砕処理する機種が多く、機械の価格も高価である。この状況の中で破砕物の少量処理と、騒音、振動、粉塵、等を最小限に抑えた機種で破砕力が大型機と変わらぬ小型破砕機の開発が望まれていた。
【０００４】  本考案は形状の大きく固い破砕物を最小限の動力で確実に破砕処理を可能とする小型破砕機を提供することを目的としている。
【課題を解決するための手段】
【０００５】  上記目的を達成するために、本考案の破砕機は、破砕室の中心に半回転自由の破砕軸を設置し、この破砕軸に大割圧縮刃と小割圧縮刃を固設し破砕室内前面に固定刃を固設して破砕部を構成させ、破砕軸半回転の正逆転で破砕物を破砕処理することを特徴とした破砕機となっている。
【０００６】  上記の破砕機の大割圧縮刃の上部の後面に、破砕物流入防止カバ−を固設して圧縮半回転の時、破砕軸後方より破砕物が破砕室内に流入しないことを特徴とした破砕機となっている。
【０００７】  本考案の破砕機で破砕物の粒度調整のため、半回転破砕軸の左右両端に破砕軸支持金具を破砕室に前後移動可能として設け、これを破砕軸調整ボルトで粒度調整することができる特徴の破砕機。
【作用】
【０００８】  本考案は大割圧縮刃が最大に開いている状況で、上部より破砕物が投入され小さい破砕物は下側に、大きい破砕物が上側に入る状態で、破砕軸が半回転しながら圧縮破砕を行うことができる。
【０００９】  本考案は小さい動力で、油圧利用して最大の破砕力を発揮する構造となってるため、小型で軽量な破砕機となり安価な機種となる。
【００１０】  本考案の破砕機は、半回転方式の油圧圧縮破砕であるため、騒音、振動、粉塵の発生が極めて少ない。
【実施の形態】
【００１１】  実施例について図面を参照して説明すると、図１において本体フレ−ム１の上部に破砕物投入口３を設け、その本体フレ−ム１の中部に破砕室２を形成させ、破砕室２の下部に排出口４を設け、破砕室２の中心部に、油圧で半回転作動する破砕軸５に大割圧縮刃６と小割圧縮刃７を固設して、破砕物を取込み半回転圧縮破砕しながら、排出口４より処理材を排出するように構成された、破砕機である。
【００１２】  この破砕機は破砕室２の中心部で半回転する破砕軸５の大割圧縮刃６の上方後部に固設されている、破砕物流入防止カバ−１０に同じく固設されている、破砕軸駆動レバ−９を油圧シリンダ−１１に連結、油圧駆動で半回転に作動させる構造とした破砕機。
【００１３】  又この破砕機の破砕軸５の左右両端に破砕軸支持金具１３を、本体フレ−ム１と破砕室２の間に前後移動可能として取付け、本体フレ−ム１の前側左右に破砕軸移動調整ボルト１４を固設して、破砕軸支持金具１３と連動させてなる破砕機。
【００１４】  このように構成された破砕機は、以下のように作動する。
この破砕機は破砕物を投入口３に投入されて、破砕室２に設けられた固定刃８と、破砕軸５の上部後方に固定された大割圧縮刃６とで、半回転圧縮破砕をしながら一次破砕をしてから、破砕軸５の前面部に設けられている小割圧縮刃によって二次破砕されて通常の指定されている粒度で、半回転しながら押出し排出するので、鉄筋等の異物が入っていても問題なく排出できる構造の破砕機である。
【００１５】  この破砕機の特徴である、半回転圧縮破砕する場合、破砕軸５の全径の半円を利用するため、未利用の半円部と、破砕室２後部の間が空き大割圧縮刃６が前方側に半回転移動すると破砕物が落込む状況になるため、これを防止するため大割圧縮刃６の上部後方に半円形の破砕物流入防止カバ−１０を固定させて同時に同じく固定されている、破砕軸駆動レバ−９を油圧ユニット１２の油圧発生装置で破砕軸駆動用油圧シリンダ−１１を作動させて破砕軸５を半回転させる事により、破砕物の落下を防止しながら、半回転圧縮破砕する破砕機。
【００１６】  上記実施の中で破砕処理の粒度調整のための構造は、本体フレ−ム１中部に固設されている破砕室２の中心部左右両端に、破砕軸５の破砕軸支持金具１３によって前後移動可能とした破砕軸５を、本体フレ−ム１の前面左右両端に設けられた破砕軸移動調整ボルト１４を、破砕軸支持金具１３に連動させて、破砕室２の内側前面に固設されている固定刃８と小割圧縮刃７の間隙を大小に調整可能として、処理材の粒度を調整出来る構造とした破砕機。
【考案の効果】
【００１７】  本考案の破砕機で、大割破砕と小割破砕が同時に可能で、特に油圧による圧縮破砕と、半回転作動による破砕を同時に実施するため、駆動トルクが油圧シリンダ−での利用により比較的に少ない。又油圧圧縮半回転破砕のために騒音、振動、粉塵等の発生も少ない都市型自家処理用破砕機となっている。
【００１８】  本考案の破砕機は小規模破砕処理機として、小型軽量化により、安価に提供が可能な破砕機となっている。
【図面の簡単な説明】
【図１】本考案に係る破砕機における主要側面の一実施形態を示した断面図である。
【図２】本考案に係る破砕機における主要側面の一実施形態を示した断面図である。
【図３】本考案に係る破砕機における主要平面の一実施形態を示した断面図である。
【符号の説明】
１  本体フレ−ム
２  破砕室
３  投入口
４  排出口
５  破砕軸
６  大割圧縮刃
７  小割圧縮刃
８  固定刃
９  破砕軸駆動レバ−
１０  破砕物流入防止カバ−
１１  破砕軸駆動用油圧シリンダ−
１２  油圧ユニット
１３  破砕軸支持金具
１４  破砕軸移動調整ボルト
【図１】
0003105389.tif 000003
【図２】
0003105389.tif 000004
【図３】
0003105389.tif 000005